(57)【要約】【課題】加温された流体による暖房の効率を向上させて省エネルギを実現することができる輻射暖房システムを提供する。【解決手段】輻射暖房システム１００は、流動放熱配管に温水を流動させて輻射熱により建物２００の屋内を暖房する。その流動放熱配管は内部空間が空気流路となる中空管状の伝熱支持部材で支持されている。太陽光により加温された屋根上板２１１と屋根下板２１２の間隙から暖房補助機構１３０により空気が導入されて伝熱支持部材の空気流路を流動される。例えば、暖房開始直後などは流動放熱配管や伝熱支持部材の空気流路の空気が低温となっているが、これを太陽光により加温された屋根部分２１０の空気で加温することができる。従って、暖房用の温水の熱エネルギが暖房以外に浪費される割合を削減できる。【選択図】図１
2010048479.tif 000002
【特許請求の範囲】
【請求項１】
屋根部分が屋根上板と屋根下板との二重構造の建物の屋内を加温されて流動される流体の輻射熱で暖房する輻射暖房システムであって、
前記屋内に少なくとも対向する位置に配置される流動放熱配管と、
前記流動放熱配管に加温された流体を流動させる温体流動機構と、
内部空間が空気流路となる中空管状で前記流動放熱配管を支持する伝熱支持部材と、
太陽光により加温された前記屋根上板と前記屋根下板との間隙から空気を導入して前記伝熱支持部材の前記空気流路を流動させる暖房補助機構と、
を有する輻射暖房システム。
【請求項２】
前記温体流動機構は、前記流動放熱配管に加温された流体として温水を流動させ、
前記伝熱支持部材は、前記建物の床面部分で複数の直方体状の根太とともに床板部材を支持する複数の直方体状に各々形成されていて上面に少なくとも一つの凹溝が長手方向に形成されており、
前記流動放熱配管は、前記伝熱支持部材の上面の前記凹溝に配置されて前記床板部材に下方から対向する請求項１に記載の輻射暖房システム。
【請求項３】
前記伝熱支持部材は、熱伝導性が高い金属で形成されている支持部材本体と、前記根太を支持する床面下地と前記支持部材本体との間隙に配置される熱伝導性が低い平板状の断熱支持部材と、を有する請求項２に記載の輻射暖房システム。
【請求項４】
前記温体流動機構は、前記流動放熱配管に加温された流体として温水を流動させ、
前記伝熱支持部材は、金属で形成されていて前記建物の壁面部分と略平行に配列される複数からなり、前記流動放熱配管を支持する配管支持部分と、前記配管支持部分と一体の中空管状に前記空気流路が形成されている流路放熱板部と、を有する請求項１に記載の輻射暖房システム。
【請求項５】
前記伝熱支持部材は、長手方向が上下方向と平行に配置された前記流動放熱配管の前後方向に一対の前記空気流路が位置しており、分割自在な一対の左右対称部品で形成されている請求項４に記載の輻射暖房システム。
【請求項６】
前記伝熱支持部材は、前記空気流路の一端が前記空気の流入口で他端が流出口となっており、
前記暖房補助機構は、前記屋根上板と前記屋根下板との間隙から前記空気を吸引する温風吸引機構と、吸引された前記空気が流入される少なくとも一つの吸気口と配列されている複数の前記伝熱支持部材の前記流入口に個々に連結される複数の送気口とが形成されている中空管状の温風誘導部材と、を有する請求項２ないし５の何れか一項に記載の輻射暖房システム。
【請求項７】
前記暖房補助機構は、配列されている複数の前記伝熱支持部材の前記流出口に個々に連結される複数の導入口と前記空気が排出される少なくとも一つの排気口とが形成されている中空管状の排気誘導部材を、さらに有する請求項６に記載の輻射暖房システム。
【請求項８】
前記屋根部分は、前記屋根上板と前記屋根下板との間隙に連続的な空気流路が形成されている請求項１ないし７の何れか一項に記載の輻射暖房システム。
【請求項９】
前記屋根上板と前記屋根下板との間隙に位置する前記空気の温度を計測する第一測温機構と、
前記伝熱支持部材の前記空気流路に位置する前記空気の温度を計測する第二測温機構と、
前記屋根上板と前記屋根下板との間隙の前記空気の温度が前記伝熱支持部材の前記空気流路の前記空気の温度より高温のときに前記暖房補助機構を作動させて低温のときに停止させる補助制御手段とを、
さらに有する請求項１ないし８の何れか一項に記載の輻射暖房システム。
【発明の詳細な説明】
【技術分野】
【０００１】
本発明は、加温されて流動される流体の輻射熱で建物の屋内を暖房する輻射暖房システムに関し、特に、屋根部分が屋根上板と屋根下板との二重構造の建物の屋内を暖房する輻射暖房システムに関する。
【背景技術】
【０００２】
現在、いわゆる温水床暖房などの輻射暖房システムは、床板部材の下方に流動放熱配管が敷設されている。その流動放熱配管に温水を流動させることで、その輻射熱により建物の屋内を暖房する。
【０００３】
現在、上述のような輻射暖房システムとして各種の提案がある（例えば、特許文献１〜３および非特許文献１，２参照）。
【特許文献１】特開２００８−０８２０４１号公報
【特許文献２】特開２００７−１９８１２２号公報
【特許文献３】特開２００１−３３６８３８号公報
【非特許文献１】"空気集熱式パッシブソーラー"、株式会社水崎建築、［２００８年  ８月  ７日検索］インターネット<ＵＲＬ：http://mizusaki.jp/info_solar.php>
【非特許文献２】"パッシブソーラーはＯＭソーラーの家"、株式会社菅組、［２００８年  ８月  ７日検索］インターネット<ＵＲＬ：http://www.suga-ac.co.jp/info/modelhouse.html>
【発明の開示】
【発明が解決しようとする課題】
【０００４】
上述のような流動放熱配管を床板部材の下方に配置する構造としても各種があるが、例えば、床面下地に複数の根太とともに複数の伝熱支持部材を配列し、その伝熱支持部材の上面の凹溝に流動放熱配管を敷設した輻射暖房システムがある。
【０００５】
このような輻射暖房システムでは、流動放熱配管の放熱を伝熱支持部材でも床板部材に伝達することができ、それでいて中空構造の伝熱支持部材により流動放熱配管の熱量が床面下地に無駄に流出することも防止できる。
【０００６】
このため、上述のような構造の輻射暖房システムは高効率であるが、さらに高効率かつ省エネルギに建物の屋内を暖房することが要求されている。特に、冬季でも晴天のときには太陽光が熱エネルギとして供給されているが、これを現在の輻射暖房システムは利用することができない。
【０００７】
一方、特許文献３および非特許文献１，２に開示されている空気集熱式の暖房システムでは、太陽光の熱エネルギを暖房に利用することができる。この暖房システムでは、太陽光により加温された屋根部分の空気を床面部分まで誘導し、床面部分の蓄熱材を加温して暖房に利用する。
【０００８】
しかし、実際には太陽光により加温される屋根部分の空気の熱エネルギは充分ではなく、大規模な空気集熱式の暖房システムを施工していながらも、実際には別個に暖房器具などが必要となり、総合的には省エネルギを実現することが困難である。
【０００９】
本発明は上述のような課題に鑑みてなされたものであり、加温された流体による暖房の効率を向上させて省エネルギを実現することができる輻射暖房システムを提供するものである。
【課題を解決するための手段】
【００１０】
本発明の輻射暖房システムは、屋根部分が屋根上板と屋根下板との二重構造の建物の屋内を加温されて流動される流体の輻射熱で暖房する輻射暖房システムであって、屋内に少なくとも対向する位置に配置される流動放熱配管と、流動放熱配管に加温された流体を流動させる温体流動機構と、内部空間が空気流路となる中空管状で流動放熱配管を支持する伝熱支持部材と、太陽光により加温された屋根上板と屋根下板との間隙から空気を導入して伝熱支持部材の空気流路を流動させる暖房補助機構と、を有する。
【００１１】
従って、本発明の輻射暖房システムでは、屋内に少なくとも対向する位置に配置されている流動放熱配管に、加温された流体を温体流動機構が流動させる。このため、この流動する加温された流体の輻射熱により建物の屋内が暖房される。このように加温された流体を流動させる流動放熱配管が、内部空間が空気流路となる中空管状の伝熱支持部材で支持されている。そして、太陽光により加温された屋根上板と屋根下板との間隙から暖房補助機構により空気が導入されて伝熱支持部材の空気流路を流動される。このため、例えば、暖房の開始直後などは流動放熱配管や伝熱支持部材の空気流路の空気が低温となっているが、これを太陽光により加温された屋根部分の空気で加温することができる。
【００１２】
また、上述のような輻射暖房システムにおいて、温体流動機構は、流動放熱配管に加温された流体として温水を流動させ、伝熱支持部材は、建物の床面部分で複数の直方体状の根太とともに床板部材を支持する複数の直方体状に各々形成されていて上面に少なくとも一つの凹溝が長手方向に形成されており、流動放熱配管は、伝熱支持部材の上面の凹溝に配置されて床板部材に下方から対向してもよい。
【００１３】
また、上述のような輻射暖房システムにおいて、伝熱支持部材は、熱伝導性が高い金属で形成されている支持部材本体と、根太を支持する床面下地と支持部材本体との間隙に配置される熱伝導性が低い平板状の断熱支持部材と、を有してもよい。
【００１４】
また、上述のような輻射暖房システムにおいて、温体流動機構は、流動放熱配管に加温された流体として温水を流動させ、伝熱支持部材は、金属で形成されていて建物の壁面部分と略平行に配列される複数からなり、流動放熱配管を支持する配管支持部分と、配管支持部分と一体の中空管状に空気流路が形成されている流路放熱板部と、を有してもよい。
【００１５】
また、上述のような輻射暖房システムにおいて、伝熱支持部材は、長手方向が上下方向と平行に配置された流動放熱配管の前後方向に一対の空気流路が位置しており、分割自在な一対の左右対称部品で形成されていてもよい。
【００１６】
また、上述のような輻射暖房システムにおいて、伝熱支持部材は、空気流路の一端が空気の流入口で他端が流出口となっており、暖房補助機構は、屋根上板と屋根下板との間隙から空気を吸引する温風吸引機構と、吸引された空気が流入される少なくとも一つの吸気口と配列されている複数の伝熱支持部材の流入口に個々に連結される複数の送気口とが形成されている中空管状の温風誘導部材と、を有してもよい。
【００１７】
また、上述のような輻射暖房システムにおいて、暖房補助機構は、配列されている複数の伝熱支持部材の流出口に個々に連結される複数の導入口と空気が排出される少なくとも一つの排気口とが形成されている中空管状の排気誘導部材と、を有してもよい。
【００１８】
また、上述のような輻射暖房システムにおいて、屋根部分は、屋根上板と屋根下板との間隙に連続的な空気流路が形成されていてもよい。
【００１９】
また、上述のような輻射暖房システムにおいて、屋根上板と屋根下板との間隙に位置する空気の温度を計測する第一測温機構と、伝熱支持部材の空気流路に位置する空気の温度を計測する第二測温機構と、屋根上板と屋根下板との間隙の空気の温度が伝熱支持部材の空気流路の空気の温度より高温のときに暖房補助機構を作動させて低温のときに停止させる補助制御手段とを、さらに有してもよい。
【００２０】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００２１】
また、本発明では前後左右上下の方向を規定しているが、これは本発明の構成要素の相対関係を簡単に説明するために便宜的に規定したものであり、本発明を実施する場合の製造時や使用時の方向を限定するものではない。
【発明の効果】
【００２２】
本発明の輻射暖房システムでは、屋内に少なくとも対向する位置に配置されている流動放熱配管に、加温された流体を温体流動機構が流動させる。このため、この流動する加温された流体の輻射熱により建物の屋内が暖房される。このように加温された流体を流動させる流動放熱配管が、内部空間が空気流路となる中空管状の伝熱支持部材で支持されている。そして、太陽光により加温された屋根上板と屋根下板との間隙から暖房補助機構により空気が導入されて伝熱支持部材の空気流路を流動される。このため、例えば、暖房の開始直後などは流動放熱配管や伝熱支持部材の空気流路の空気が低温となっているが、これを太陽光により加温された屋根部分の空気で加温することができる。従って、暖房の開始直後に流動放熱配管や伝熱支持部材の空気流路の空気を、加温された流体の輻射熱で加温する割合を低減することができる。このため、加温された流体による暖房の効率を向上させて省エネルギを実現することができる。
【発明を実施するための最良の形態】
【００２３】
本発明の実施の一形態を図面を参照して以下に説明する。なお、本実施の形態では図示するように前後左右上下の方向を規定して説明する。しかし、これは構成要素の相対関係を簡単に説明するために便宜的に規定するものである。従って、本発明を実施する製品の製造時や使用時の方向を限定するものではない。
【００２４】
本実施の形態の輻射暖房システム１００は、屋根部分２１０が屋根上板２１１と屋根下板２１２との二重構造の建物２００の屋内を加温されて流動される流体(図示せず)の輻射熱で暖房する。
【００２５】
このため、本実施の形態の輻射暖房システム１００では、屋内に少なくとも対向する位置に配置される流動放熱配管１１０と、流動放熱配管１１０に加温された流体を流動させる温体流動機構と、内部空間が空気流路１２２となる中空管状で流動放熱配管１１０を支持する伝熱支持部材１２０と、太陽光により加温された屋根上板２１１と屋根下板２１２との間隙から空気を導入して伝熱支持部材１２０の空気流路１２２を流動させる暖房補助機構１３０と、を有する。
【００２６】
より具体的には、温体流動機構は、例えば、温水タンク、温水ヒータ、ポンプ機構、等を有し(図示せず)、流動放熱配管１１０に加温された流体として液体である温水を流動させる。
【００２７】
建物２００は、図２ないし図４に示すように、床面部分２２０の床面下地２２１の上面に、複数の直方体状の根太２２２が平行に配列されている。本実施の形態の建物２００では、根太２２２は長手方向が前後方向と平行な状態で左右方向に配列されている。
【００２８】
ただし、本実施の形態の輻射暖房システム１００では、伝熱支持部材１２０が建物２００の床面部分２２０で複数の直方体状の根太２２２とともに床板部材(図示せず)を支持する複数の直方体状に各々形成されている。
【００２９】
この伝熱支持部材１２０は、熱伝導性が高い金属であるアルミニウム合金の引抜材などで形成されている支持部材本体１２１と、根太２２２を支持する床面下地２２１と支持部材本体１２１との間隙に配置される熱伝導性が低い平板状の断熱支持部材１２４と、を有する。
【００３０】
また、伝熱支持部材１２０は、上面に一対の凹溝１２５が長手方向に形成されている。流動放熱配管１１０は、伝熱支持部材１２０の上面の凹溝１２５に配置されて床板部材２２３に下方から対向する。
【００３１】
本実施の形態の建物２００は、図１に示すように、前述のように屋根部分２１０が屋根上板２１１と屋根下板２１２との二重構造に形成されている。屋根下板２１２の上面には、いわゆる垂木に相当する直方体状の支持部材２１３が配列されており、この支持部材２１３により屋根上板２１１が支持されている。
【００３２】
ただし、上述の支持部材２１３は通常の垂木とは相違して、屋根上板２１１と屋根下板２１２との間隙に連続的な空気流路２１４を形成するように配置されている。より具体的には、本実施の形態の建物２００では、屋根部分２１０は南向きに傾斜した一面からなる。
【００３３】
そして、空気流路２１４は、屋根部分２１０の左右両側の下端から左右中心の下端まで上下方向にジグザグに連通する形状に、支持部材２１３により形成されている。空気流路２１４は、屋根部分２１０の左右両側の下端で外部に開口している。
【００３４】
一方、空気流路２１４の終端となる左右中心の下端には、図１および図２に示すように、屋根上板２１１と屋根下板２１２との間隙から空気を吸引する温風吸引機構１３１が暖房補助機構１３０の一部として配管されている。
【００３５】
この温風吸引機構１３１は、例えば、既存のフレキシブルチューブ１３２や換気ファン１３３などで形成されている。前述の伝熱支持部材１２０は、空気流路１２２の一端が空気の流入口１２６で他端が流出口１２７となっている。
【００３６】
そして、図２に示すように、上述の温風吸引機構１３１と複数の伝熱支持部材１２０とが一個の温風誘導部材１４０で連結されている。より具体的には、この温風誘導部材１４０は長手方向が左右方向と平行な直方体状の中空管状に形成されている。
【００３７】
温風誘導部材１４０は、左右方向に配列された複数の根太２２２および複数の伝熱支持部材１２０の後方に配置されており、やはり複数の根太２２２および複数の伝熱支持部材１２０とともに床板部材２２３を下方から支持する。
【００３８】
温風誘導部材１４０には、温風吸引機構１３１で吸引された空気が流入される吸気口１４１と、配列されている複数の伝熱支持部材１２０の流入口１２６に個々に連結される複数の送気口１４２と、が形成されている。
【００３９】
同様に、左右方向に配列された複数の根太２２２および複数の伝熱支持部材１２０の前方には、排気誘導部材１５０が配置されている。この排気誘導部材１５０も、長手方向が左右方向と平行な直方体状の中空管状に形成されており、やはり複数の根太２２２および複数の伝熱支持部材１２０とともに床板部材２２３を下方から支持する。
【００４０】
排気誘導部材１５０も、配列されている複数の伝熱支持部材１２０の流出口１２７に個々に連結される複数の導入口１５１と、空気が排出される少なくとも一つの排気口１５２とが形成されている。
【００４１】
なお、流動放熱配管１１０は温水を流動させるためにジグザグに連続する形状に形成されている。このため、流動放熱配管１１０を挿通させるための貫通孔１４３，１５３も温風誘導部材１４０および排気誘導部材１５０に形成されている。
【００４２】
また、本実施の形態の輻射暖房システム１００は、図５に示すように、屋根上板２１１と屋根下板２１２との間隙の空気流路２１４に、そこに位置する空気の温度を計測する第一測温機構１６１が配置されている。
【００４３】
同様に、伝熱支持部材１２０の空気流路１２２にも、そこに位置する空気の温度を計測する第二測温機構１６２が配置されている。そして、これらの測温機構１６１，１６２と温風吸引機構１３１の換気ファン１３３とに補助制御回路１６３が接続されている。
【００４４】
この補助制御回路１６３は、屋根部分２１０の空気流路２１４の空気の温度が伝熱支持部材１２０の空気流路１２２の空気の温度より高温のときに暖房補助機構１３０を作動させて低温のときに停止させる。
【００４５】
上述のような構成において、本実施の形態の輻射暖房システム１００は、いわゆる温水床暖房システムとして機能する。従って、利用者(図示せず)が輻射暖房システム１００を作動させると、床板部材２２３の下方に位置する流動放熱配管１１０に、加温された温水を温体流動機構が流動させる。このため、この流動する加温された温水の輻射熱により、建物２００の屋内が暖房される。
【００４６】
ただし、本実施の形態の輻射暖房システム１００では、上述のように加温された温水を流動させる流動放熱配管１１０が、内部空間が空気流路１２２となる中空管状の伝熱支持部材１２０で支持されている。
【００４７】
そして、太陽光により加温された屋根上板２１１と屋根下板２１２との間隙から暖房補助機構１３０により空気が導入されて伝熱支持部材１２０の空気流路１２２を流動される。
【００４８】
このため、例えば、暖房の開始直後などは流動放熱配管１１０や伝熱支持部材１２０の空気流路１２２の空気が低温となっているが、これを太陽光により加温された屋根部分２１０の空気で加温することができる。
【００４９】
従って、暖房の開始直後に流動放熱配管１１０や伝熱支持部材１２０の空気流路１２２の空気を、加温された温水の輻射熱で加温する割合を低減することができる。このため、加温された温水による暖房の効率を向上させることができる。
【００５０】
特に、上述のように上面の凹溝１２５で流動放熱配管１１０を支持するとともに、複数の根太２２２とともに複数が配列されて床板部材２２３を支持する伝熱支持部材１２０は、従来の温水床暖房システムでも一般的に利用されている。
【００５１】
換言すると、本実施の形態の輻射暖房システム１００は、既存の伝熱支持部材１２０のデッドスペースを空気流路１２２として利用している。このため、専用の部品を最小限として、その暖房の効率を向上させることができる。
【００５２】
なお、支持部材本体１２１は、熱伝導性が高いアルミニウム合金などの金属で形成されているが、床面下地２２１と支持部材本体１２１との間隙には熱伝導性が低い平板状の断熱支持部材１２４が配置されている。
【００５３】
このため、空気流路１２２を流動する温風による輻射熱を、床面下地２２１に流出させることを最小限としながら、伝熱支持部材１２０の温風による輻射熱も床板部材２２３から屋内に伝達することができる。
【００５４】
しかも、複数の根太２２２とともに配列された複数の伝熱支持部材１２０に温風を供給する温風誘導部材１４０と、伝熱支持部材１２０の排気を排出する排気誘導部材１５０も、複数の根太２２２および伝熱支持部材１２０とともに床板部材２２３を支持する。このため、床板部材２２３の設置に支障をきたすようなことなく、温風の供給や排気の排出を実行することができる。
【００５５】
さらに、屋根部分２１０は、従来の垂木に相当する支持部材２１３により、屋根上板２１１と屋根下板２１２との間隙に連続的な空気流路２１４が形成されている。このため、屋根上板２１１と屋根下板２１２との間隙で加温された空気を効率的かつ連続的に収集することができる。
【００５６】
しかも、本実施の形態の輻射暖房システム１００では、屋根部分２１０の空気流路２１４の空気の温度が伝熱支持部材１２０の空気流路１２２の空気の温度より高温のときに補助制御回路１６３で暖房補助機構１３０を作動させて低温のときに停止させる。このため、流動放熱配管１１０を流動する温水による暖房を効率的に補助しながらも、その暖房を阻害するようなことがない。
【００５７】
さらに、本実施の形態の輻射暖房システム１００では、建物２００の屋根部分２１０が南向きの一面からなる。このため、太陽光で空気を加温して利用することを最良の効率で実行することができる。
【００５８】
しかも、本実施の形態の輻射暖房システム１００は、流動放熱配管１１０を流動する温水による暖房システムと、太陽光により加温された屋根部分２１０の暖気による暖房システムとが、一体に形成されている。
【００５９】
このため、従来の温水床暖房システムと同等な生産性で施工することができ、大規模な空気集熱式暖房システムを施工しておきながら別個に暖房器具を必要とするようなこともない。
【００６０】
そして、本実施の形態の輻射暖房システム１００では、上述の流動放熱配管１１０を流動する温水による暖房システムと、太陽光により加温された屋根部分２１０の暖気による暖房システムとを、相補的に機能させることができる。このため、従来の温水床暖房システムや空気集熱式暖房システムに比較して、総合的に省エネルギの実現を期待することができる。
【００６１】
なお、本発明は本実施の形態に限定されるものではなく、その要旨を逸脱しない範囲で各種の変形を許容する。例えば、上記形態では屋根部分２１０で加温された空気を利用して、温水床暖房からなる輻射暖房システム１００の効率を向上させることを例示した。
【００６２】
しかし、図６および図７に例示する輻射暖房システム３００のように、伝熱支持部材３１０が、金属で形成されていて建物２００の壁面部分と略平行に配列される複数からなり、流動放熱配管１１０を支持する配管支持部分３１１と、配管支持部分３１１と一体の中空管状に空気流路３１３が形成されている流路放熱板部３１２と、を有してもよい。この輻射暖房システム３００は、いわゆる壁面暖房システムとして機能する。
【００６３】
さらに、上述の伝熱支持部材３１０は、図７に示すように、長手方向が上下方向と平行に配置された流動放熱配管１１０の前後方向に一対の空気流路３１３が位置しており、分割自在な一対の左右対称部品３１４で形成されていてもよい。
【００６４】
この場合、伝熱支持部材３１０に流動放熱配管１１０を鋳込むような必要がなく、密閉構造の伝熱支持部材３１０の内部に流動放熱配管１１０を簡単に配置することができる。
【００６５】
また、上記形態では放熱により冷却した空気を建物２００の屋外に排気することを想定した。しかし、その排気も充分に高温な場合、そのまま屋内に排出して暖房を補助してもよい。
【００６６】
さらに、上記形態では屋根部分２１０で加温された空気を、流動放熱配管１１０による温水暖房の補助に利用することのみ例示した。しかし、空気が充分に加温されていて屋内が充分に低温のような場合、屋根部分２１０で加温された空気を伝熱支持部材１２０，３１０に流動させることのみで暖房を実現することも不可能ではない。
【００６７】
このような輻射暖房システム１００，３００では、空気のみによる暖房、空気で補助した温水による暖房、空気の補助を解除した温水のみによる暖房、を切り換えることで、さらに効率向上を期待することができる。
【００６８】
また、上記形態では屋根部分２１０の空気流路２１４が、上下方向に往復したジグザグに形成されていることを例示した。しかし、温風は物性的に上方に移動するので、このように上下方向に移動させることは合理的ではない。
【００６９】
そこで、図８に例示する輻射暖房システム４００，５００のように、屋根部分４１０，５１０に下方から上方に連続する空気流路４１１，５１１を形成することで、温風の収集効率を向上させることもできる。
【００７０】
さらに、上記形態では建物２００の屋根部分２１０が南向きの一面からなることにより、太陽光で空気を加温して利用することを最良の効率で実行できることを例示した。しかし、効率は低下するものの、屋根部分が水平な構造、屋根部分が三角断面の構造、屋根部分が南向き以外の構造、等でも輻射暖房システムを実現することはできる(図示せず)。
【００７１】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【図面の簡単な説明】
【００７２】
【図１】本発明の実施の形態の輻射暖房システムの屋根部分の構造を示す分解斜視図である。
【図２】輻射暖房システムの床面部分の構造を示す分解斜視図である。
【図３】輻射暖房システムの床面部分の構造を示す斜視図である。
【図４】輻射暖房システムの床面部分の組立構造を示す正面図である。
【図５】輻射暖房システムの回路構造を示す模式的な回路図である。
【図６】一の変形例の輻射暖房システムの壁面部分の構造を示す分解斜視図である。
【図７】一の変形例の輻射暖房システムの要部構造を示す分解斜視図である。
【図８】他の変形例の輻射暖房システムの屋根部分の構造を示す斜視図である。
【符号の説明】
【００７３】
１００    輻射暖房システム
１１０    流動放熱配管
１２０    伝熱支持部材
１２１    支持部材本体
１２２    空気流路
１２４    断熱支持部材
１２５    凹溝
１２６    流入口
１２７    流出口
１３０    暖房補助機構
１３１    温風吸引機構
１３２    フレキシブルチューブ
１３３    換気ファン
１４０    温風誘導部材
１４１    吸気口
１４２    送気口
１４３，１５３    貫通孔
１５０    排気誘導部材
１５１    導入口
１５２    排気口
１６１    第一測温機構
１６２    第二測温機構
１６３    補助制御回路
２００    建物
２１０    屋根部分
２１１    屋根上板
２１２    屋根下板
２１３    支持部材
２１４    空気流路
２２０    床面部分
２２１    床面下地
２２２    根太
２２３    床板部材
３００    輻射暖房システム
３１０    伝熱支持部材
３１１    配管支持部分
３１２    流路放熱板部
３１３    空気流路
３１４    左右対称部品
４００，５００    輻射暖房システム
４１０，５１０    屋根部分
４１１，５１１    空気流路
【図１】
2010048479.tif 000003
【図２】
2010048479.tif 000004
【図３】
2010048479.tif 000005
【図４】
2010048479.tif 000006
【図５】
2010048479.tif 000007
【図６】
2010048479.tif 000008
【図７】
2010048479.tif 000009
【図８】
2010048479.tif 000010